(57)【要約】【課題】  暗いところでも確実に認識され、お守りを保持する者にとって、お守りの存在感が体感できそのご利益が得られ  また、お守りの遠距離からの視認性がよいため、装飾性に優れると共に交通事故の防止等にも役立つお守りを提供する。【解決手段】  お守り１の表面の一部又は全部に反射体を設けたため、お守りの表面の模様や図等が美麗に表現されると共に、暗いところでもお守りが確実に認識されるため、お守りを保持する者にとって、お守りの存在感が体感できそのご利益が得られるのである。  また、お守りの遠距離からの視認性がよいため、装飾性に優れると共に交通事故の防止等にも役立つのである。【選択図】図１
0003168224.tif 000002
【実用新案登録請求の範囲】
【請求項１】
表面の一部又は全部に反射体を有するお守り。
【請求項２】
表面の一部又は全部に反射体を有するお守り袋を構成し、このお守り袋の内部にお札を収納すると共に、前記お守り袋の上端に紐を設けたお守り。
【考案の詳細な説明】
【技術分野】
【０００１】
本考案は、光を反射する素材である反射体を用いることにより夜間や暗いところでも視認性に優れたお守りに関するものである。
【背景技術】
【０００２】
従来より、お守りを身につけたりカバン等につけて携帯することが行われている。従来の伝統的なお守りは、布によって袋を作成し、その中にお札を収納して、袋の上端を紐で綴じているものである。
しかしながら、このようなお守りでは、暗い場所や夜間では、お守り袋の外観の模様等は勿論のことお守りの存在すら見えないことがあった。
【０００３】
そのため、特許文献１に示すように、内部にお札を入れて全体が織物地によって覆われたお守り袋で、この織物地を反射箔糸を用いて織られた織物を使用することにより、上記織物地に形成された模様部あるいは地模様部、または模様部と地模様部が暗所で光を反射するように構成されたお守り袋が提案されていた。
この発明によれば、夜間や暗い所でもお守りや、お守り袋の存在が認識でき、かつ、お守り袋に表出した美しい模様や色彩を安心して楽しめる等の効果がある。
【先行技術文献】
【特許文献】
【０００４】
【特許文献１】特開２００７−６８６１５号公報  しかし前記特許文献１記載の発明は、お守り袋に反射箔糸を用いて織られた織物を使用していたため、製作に手間がかかり、コストも高くなるという問題点があり、また視認性の面でも効果の薄いものであった。
【考案の概要】
【考案が解決しようとする課題】
【０００５】
本考案は、前記のような従来のお守りあるいはお守り袋の欠点を解決して、製作が容易でコストも安く、かつ遠くからの視認性に優れたお守りを提供することを目的とする。
【課題を解決するための手段】
【０００６】
本考案の要旨とするところは、表面の一部又は全部に反射体を有するお守りである。
【０００７】
本考案の要旨とするところは、表面の一部又は全部に反射体を有するお守り袋を構成し、このお守り袋の内部にお札を収納すると共に、前記お守り袋の上端に紐を設けたお守りである。
【考案の効果】
【０００８】
請求項１の考案によれば、お守りの表面の一部又は全部に反射体を有するため、お守りの表面の模様や図等が美麗に表現されると共に、暗いところでもお守りが確実に認識されるため、お守りを保持する者にとって、お守りの存在感が体感できそのご利益が得られるのである。
また、お守りの遠距離からの視認性がよいため、装飾性に優れると共に交通事故の防止等にも役立つのである。
【０００９】
請求項２の考案によれば、お守り袋の表面に反射体を設け、その内部にお札を納めると共にお守り袋の上端に紐を設けたため、お守り袋によってお札を保護できると共に、お守り全体から重厚なイメージが生じ、かつ紐によってカバンなどに取り付けることができる。
【図面の簡単な説明】
【００１０】
【図１】本考案の実施形態１の正面図である。
【図２】本考案の実施形態１の背面図である。
【図３】本考案の実施形態２の背面図である。
【図４】本考案の実施形態３の一部切欠正面図である。
【図５】本考案の実施形態４の正面図である。
【考案を実施するための形態】
【００１１】
本考案のお守りの実施形態１を図１及び図２に基づいて説明する。
本実施形態のお守り１は１枚の反射体で構成されていて、全体としてお札の役割をしている。形状は略長方形であり上端の両角を切り欠いて、全体として六角形を構成していて、上端中央には紐８を備えている。
この紐８には、布の紐と布以外、例えば金属のキーチェーン等、紐状のものをすべて含むものとする。
【００１２】
本実施形態では反射体として、いわゆるリフレクターを用いたが、その他のあらゆる反射体を使用することができる。
例えば、全体がビニール等の一体成型で製作されたもの、または芯材の表面全体を反射体で覆って製作したもの、あるいは表面に蛍光塗料を塗布したもの等を含むものとする。
【００１３】
お守り１の表面１１には下方に「狛犬」の図形１２が描かれていて、裏面１２には、「亀」の図形２２と「交通安全」の文字２３が描かれている。
【００１４】
上記のように構成したお守り１の使用に際しては、紐８を用いてカバン等（図示せず）の持ち物に取り付ける。
通常は、普通のお守りとして用いることで、素材が反射体であることと相まって、前記「狛犬」の図形１２や「亀」の図形２２等によって、視覚的にお守りを楽しむことができ、モダンなお守りとしての存在感を増し、その役割を果たすのである。
夜間や暗いところでは、お守り１の全体が反射体で構成されているため、遠くからの車のヘッドライトあるいはわずかな明かりでも、表面１１及び裏面２１の全面が反射してお守り１の存在を認識でき、交通事故等を防ぐことができ安全である。
【００１５】
本実施形態のお守り１の形状は、前記六角形の他、正方形、台形あるいは円形等の任意の形状を選択できる。さらには色彩についても１又は２以上の任意の色彩を用いることができる。
【００１６】
表面１１と裏面２１に配した図形についても、動物に限らず、植物、風景、建物あるいは人物等様々な図形を選択できる。また図形１２や文字２３に変えて、あるいは図形１２や文字２３と併用して表面１１または裏面２１に模様を構成することもできる。
また、前記表面１１には、「お守」、「家内安全」、「学業成就」等の文字を書き込むことができる。
【００１７】
図３に示す実施形態２では、前記実施形態１のお守り１の裏面２１に名前記載欄２４を構成した。ここに子供の名前を記載することによって、ご利益が増すと共にお守り１の紛失等の恐れがなくなる。
その他の構成や作用、効果は前記実施形態１と同様のため省略する。
【００１８】
図４は本考案の実施形態３を示すものである。このお守り３は、表面３１と裏面３２をそれぞれ反射体によって構成して、貼り合わせて袋状にして内部にお札３３を収納したものである。
その他の構成は、前記実施形態１と同様のため説明を省略する。
このお守り３によれば、内部にお札３３を収納した袋状であるので、お札３３を保護できると共に、豪華な印象を与えご利益が増すのである。
【００１９】
図５は本考案の実施形態４を示すものである。このお守り５は、反射体以外の素材によって１枚の板状に構成され、この表面５１の一部に反射体からなる図形５２あるいは文字５３を貼着したものである。
このお守り５によれば、反射体の部分が少ないため製作コストが安くなると共に、お守り５の表面に自己の好みの図形や文字を自由に選択して固定することができ、個人の好みに合わせたお守りを作成することができるのである。前記反射体は、表面の全体に固定することもできる。
その他の構成は、前記実施形態１と同様のため説明を省略する。
【符号の説明】
【００２０】
１  お守り
３  お守り
５  お守り
８  紐
１１  表面
１２  図形
２１  裏面
２２  図形
２３  文字
２４  名前記載欄
３１  表面
３２  裏面
３３  お札
【図１】
0003168224.tif 000003
【図２】
0003168224.tif 000004
【図３】
0003168224.tif 000005
【図４】
0003168224.tif 000006
【図５】
0003168224.tif 000007